(57)【特許請求の範囲】
【請求項１】
版材を１枚づつ露光装置へと供給するための版材供給装置であって、
その上面が開放され、その内部には、版材と合紙とが、交互にまたは混在して、かつ積み重ねられた状態で収納されるカセット、
吸盤を含み、前記カセットに収納された版材または合紙を、開放されたその上面を通じて当該吸盤で吸引把持して、当該カセットの外部へと搬出する搬出手段、
前記カセットから搬出された版材を前記露光装置側へと搬送する版材搬送手段、および
一列に配置された複数の突起を持つ櫛状板部材を含み、前記搬出手段が吸引把持している版材にその一部が付着した合紙を、当該櫛状板部材の各突起で挟持して剥離させる合紙剥離手段を備える、版材供給装置。
【請求項２】
前記合紙剥離手段は、別の吸盤をさらに含み、前記搬出手段が吸引把持している版材にその全部が付着した合紙を、当該別の吸盤で吸引把持して剥離させることを特徴とする、請求項１に記載の版材供給装置。
【請求項３】
前記合紙剥離手段は、エアを噴出するエアノズルをさらに含み、剥離させてできた版材と合紙との間隙に向けて、前記エアノズルからのエアを噴射し、それによって、いったん剥離させた版材と合紙との再付着を防止することを特徴とする、請求項２に記載の版材供給装置。
【請求項４】
前記カセットは、開放されたその上面を覆うための開閉可能なシャッタを含み、当該シャッタを、前記合紙剥離手段がエアを噴射するタイミングに関連して開閉させることを特徴とする、請求項３に記載の版材供給装置。
【請求項５】
前記搬出手段は、
前記吸盤が前記カセットに収納された版材または合紙を吸引把持した後、当該吸盤を、当該カセットの法線方向に沿って、開放されたその上面の上方の所定の位置まで移動させ、
当該所定の位置で当該吸盤の向きを変化させ、それによって、当該版材または当該合紙を湾曲変形させることを特徴とする、請求項１に記載の版材供給装置。
【請求項６】
前記カセットから搬出された被搬出物が版材か合紙かを、当該被搬出物の上面からの反射光に基づいて判別するための第１の光センサ、
前記被搬出物が版材か合紙かを、当該被搬出物の下面からの反射光に基づいて判別するための第２の光センサ、および
前記被搬出物が版材か合紙かを、当該被搬出物から金属素材を検出することによって判別するための金属センサをさらに備える、請求項１に記載の版材供給装置。
【請求項７】
合紙を回収するためのトレイ、および
前記カセットから搬出された合紙を前記トレイ側へと搬送する合紙搬送手段をさらに備える、請求項１に記載に版材供給装置。
【請求項８】
前記カセットから搬出された被搬出物の端部に向けて所定のパワーでエアを噴射することによって、合紙だけを選択的に屈曲させるエア噴射手段をさらに備え、
前記合紙搬送手段は、屈曲された合紙の端部を把持するための把持部材を含む、請求項７に記載の版材供給装置。
【請求項９】
前記カセットは、水平に置かれており、
前記トレイは、前記カセットの鉛直下方に設置されたことを特徴とする、請求項７に記載の版材供給装置。
【請求項１０】
前記カセットを、その重心を通り、かつ開放されたその上面の一辺に平行な直線を軸として回転可能に支持する架台をさらに備える、請求項１に記載の版材供給装置。
【請求項１１】
前記カセットの内底面には、当該内定面を保護する保護部材が設けられていることを特徴とする、請求項１に記載の版材供給装置。
【請求項１２】
前記カセットから搬出された合紙を前記露光装置側とは別の側へと搬送する合紙搬送手段、
前記カセットから搬出された被搬出物が版材か合紙かを判別するための判別センサ、および
前記被搬出物の端部に向けて所定のパワーでエアを噴射することによって、合紙だけを選択的に屈曲させるエア噴射手段をさらに備え、
前記合紙搬送手段は、
屈曲された合紙の端部を把持するための把持部材、および
当該把持部材に付随して設けられ、前記屈曲された合紙の端部を検出するための検出センサを含む、請求項１１に記載の版材供給装置。
【発明の詳細な説明】
【０００１】
【発明の属する技術分野】
本発明は、版材供給装置に関し、より特定的には、版材と合紙とを交互に収納したカセットから版材を１枚づつ取り出して露光装置へと供給する版材供給装置に関する。
【０００２】
【従来の技術】
版材と合紙とを交互に収納したカセットから版材を１枚づつ取り出して露光装置へと供給する版材供給装置では、合紙の処理が問題になる。すなわち、版材供給時には、合紙を除去したうえ、それら合紙を所定の容器に収納して回収しなければならない。ここで、版材とは、アルミ製の板材の一面に感光剤を塗布したものをいう。また、合紙（あいし）とは、版材の感光面を保護するための、版材と同形状に裁断された紙製のシートのことである。
ところが、合紙は、静電気の作用でしばしば版材に付着しており、そのため、版材と共に露光装置へ搬送されることがよくある。合紙など、版材以外のものが露光装置へ搬送されることは、露光装置の故障の原因となる。
そこで、従来、版材に付着した合紙は、エアで吹き飛ばしたり、ローラで掻き落とすようにし、合紙が露光装置へと搬送されるのを防いでいた。版材に付着した合紙をエアで吹き飛ばす機能を有する従来の版材供給装置の要部を図１０に示す。また、版材に付着した合紙をローラで掻き落とす機能を有する別の従来の版材供給装置の要部を図１１に示す。なお、図１０のタイプの版材供給装置は、例えば米国特許第４，４０２，５９２号に記載されている。また、図１１のタイプの版材供給装置は、例えば米国特許第５，３６７，３６０号に記載されている。
【０００３】
図１０において、従来の版材供給装置には、版材収納用のカセット１００１と、版材把持部１００２と、合紙回収用のトレイ１００３とが設けられている。カセット１００１は、水平面に対して傾斜して設けられており、その内部に複数の版材が収納される。さらに、版材と版材との間には、それぞれ合紙が挟み込まれている。版材把持部１００２の先端には、吸盤１００４が設けられており、版材把持部１００２は、この吸盤１００４を用いて版材を吸引把持する。そして、把持した版材を、カセット１００１の法線方向に沿って、図中点線で示される位置まで持ち上げ、その後、所定の位置まで搬送する。
上記のようにして版材を搬送する際、版材の裏面に合紙が付着していることがある。しかし、カセット１００１の上側端部には、エアノズル１００５が設けられており、版材が版材把持部１００２によって上記のようにして持ち上げられている間に、エアノズル１００５から版材の裏面に沿うようにエアが噴出される。そのエアよって、版材裏面に付着した合紙が剥離し、吹き飛ばされる。エアノズル１００５の前方には、トレイ１００３が水平に設置されている。トレイ１００３は、吹き飛ばされた合紙を受け止めて、その内部に収納する。
【０００４】
図１１において、別の従来の版材供給装置には、版材収納用のカセット１１０１と、版材把持部１１０２と、合紙回収用のトレイ１１０３とが設けられている。カセット１１０１は、水平面に対して傾斜して設けられており、その内部に複数の版材が収納される。さらに、版材と版材との間には、それぞれ合紙が挟み込まれている。版材把持部１１０２の先端付近には、吸盤１１０４が設けられており、版材把持部１１０２は、この吸盤１１０４を用いて版材を吸引把持する。そして、把持した版材を持ち上げ、その後、所定の位置まで搬送する。
上記のようにして版材を搬送する際、版材の裏面に合紙が付着していることがある。しかし、版材把持部１１０２の下端には、図中矢印で示す向きに回転するローラ１１０５が設けられており、版材が版材把持部１１０２によって上記のようにして把持される直前に、このローラ１１０５が合紙と接触し、版材の裏面に付着した合紙を掻き落とす。トレイ１１０３は、カセット１１０１の背面を覆うように、かつ水平面に対して垂直に設けられている。トレイ１１０３には、掻き落とされた合紙をその内部へと導くためのガイド１１０６と、合紙ニップ用ローラ１１０７とが設けられており、ローラ１１０５によって掻き落とされた合紙は、最初、ガイド１１０６によってその進行方向を変えられ、次に、合紙ニップ用ローラ１１０７によってニップされて、トレイ１１０３の内部へと送出される。
【０００５】
ところで、上記の各装置では、版材を収納するためのカセットは、水平面に対して傾斜して設けられているが、カセットが水平に設けられたような、さらに別の従来の版材供給装置もある。その要部を、図１２に示す。図１２のタイプの版材供給装置は、例えば特公昭６１−４１８１０号公報に記載されている。
図１２において、さらに別の従来の版材供給装置には、版材収納用のカセット１２０１と、版材／合紙把持部１２０２と、版材／合紙ニップ用ローラ１２０３と、版材と合紙とで搬送路を切り換えるための切換ガイド１２０４と、合紙回収用のトレイ（図示せず）とが設けられている。カセット１２０１は、水平に設けられており、その内部に複数の版材が収納される。さらに、版材と版材との間には、それぞれ合紙が挟み込まれている。版材／合紙把持部１２０２の先端には、吸盤１２０５が設けられており、版材／合紙把持部１２０２は、この吸盤１２０５を用いて版材または合紙を吸引把持する。そして、把持した版材または合紙を、カセット１２０１の法線方向に沿って持ち上げ、その後、版材／合紙ニップ用ローラ１２０３の位置まで移送する。
版材／合紙ニップ用ローラ１２０３は、移送されてきた版材または合紙をニップして、切換ガイド１２０４側へと送出する。切換ガイド１２０４は、図中点Ｘを中心として回転可能に支持されており、送出されたものが版材が合紙かに応じて、実線の位置および点線の位置の間を（回転）移動する。すなわち、版材／合紙ニップ用ローラ１２０３から送出されたものが版材である場合、切換ガイド１２０４は、図中実線で示す位置にあり、合紙である場合には、点線で示す位置にある。従って、版材は、図面に向かって右手にある露光装置へ向けて送出され、一方、合紙は、下方に置かれたトレイ側へと送出される。送出された合紙は、自重でトレイ底部へと落下する。
上記のようにして版材を搬送する際、版材の裏面に合紙が付着していることがある。しかし、カセット１２０１の端部には、ブラシ１２０７とエアノズル１２０６とが設けられており、版材が版材／合紙把持部１２０２によって上記のようにして持ち上げられたとき、版材裏面に付着した合紙の端部がブラシ１２０７によって擦られ、版材から分離される。その瞬間、エアノズル１２０６から版材の表面に沿うようにエアが噴出される。そのエアよって、版材裏面に付着した合紙全体が版材から剥離される。
【０００６】
【発明が解決しようとする課題】
ところで、版材と合紙との間の静電気は、空気が乾燥している冬季、特に多く発生する。その場合、発生した静電気の吸着力も強い。また、版材の生産過程において、版材に意図的に多量の静電気が与えられることがある。これは、版材を所定の大きさに裁断する際に合紙の位置がずれることを防ぐなどの目的で行われる。この多量の静電気が、出荷後もしばしば残存しており、合紙が版材に強く付着している。
【０００７】
しかしながら、図１０のタイプの版材供給装置では、版材に付着した合紙を単にエアで吹き飛ばすだけなので、強力に付着した合紙をあまりよく剥離させることはできなかった。また、吹き飛ばされた合紙がトレイ１００３内に正しく納まらない場合が多く、トレイ１００３外に散乱した合紙を回収したり、合紙の向きをそろえるのに手間がかかる問題点もあった。
【０００８】
図１１のタイプの版材供給装置では、版材に付着した合紙を単にローラ１１０５で掻き落とすだけなので、強力に付着した合紙をあまりよく剥離させることはできなかった。また、合紙をトレイ１１０３の下端付近から内部へと送出するので、合紙がトレイ１１０３の内部に、下から上へと雑然と蓄積されていく。そのため、トレイ１１０３内に蓄積される合紙の多くに襞や皺が生じ、その結果、合紙を回収して再利用するのが困難となるのに加え、蓄積可能な合紙の枚数が、トレイ１１０３の容積に比べて極めて少ない問題点もあった。
【０００９】
一方、図１２のタイプの版材供給装置では、版材に付着した合紙の端部をブラシ１２０７で擦って版材から分離させ、生じた隙間にエアを噴出して合紙全体を版材から剥離させるので、図１０のタイプまたは図１１のタイプの版材供給装置よりは、合紙をよく剥離させることができる。しかし、強く付着した合紙を必ずしも剥離させることはできなかった。また、トレイ側に送出された合紙は、自重でトレイ底部へと落下するので、向きがバラバラの状態でトレイ底部に積み重なることになり、それらの回収、整理に手間がかかる問題点もあった。
【００１０】
なお、カセットが傾斜しているか水平であるかは、版材に付着した合紙をよく剥離させるという観点からは、特に差異はない。ただし、図１２のようにカセットが水平に設置された場合には、図１０または図１１のようにカセットが傾斜して設置された場合と比べ、装置の容積が大きくなる。その反面、カセット内に収納された版材が滑落したり位置ずれの生じる恐れがないので、供給動作の信頼性は高いといえる。
【００１１】
それゆえに、本発明の目的は、版材と合紙とが交互に収納されたカセットから版材を１枚づつ取り出して露光装置へと供給する際、版材に付着した合紙をよく剥離させることができ、その結果、合紙を誤って露光装置へと供給するのを防ぐことができるような版材供給装置を提供することである。
【００１２】
また、本発明の他の目的は、上記版材供給装置において、剥離させた合紙を専用のトレイ内に正しく納めることができるようにし、それによって、回収済み合紙の再利用を容易にすることである。
【００１３】
また、本発明のさらに他の目的は、上記版材供給装置において、カセットが水平に設置されている場合に、装置の容積をできるだけ小さくすることである。
【００１４】
【課題を解決するための手段および発明の効果】
第１の発明は、版材を１枚づつ露光装置へと供給するための版材供給装置であって、
その上面が開放され、その内部には、版材と合紙とが、交互にまたは混在して、かつ積み重ねられた状態で収納されるカセット、
吸盤を含み、カセットに収納された版材または合紙を、開放されたその上面を通じて当該吸盤で吸引把持して、当該カセットの外部へと搬出する搬出手段、
カセットから搬出された版材を露光装置側へと搬送する版材搬送手段、および一列に配置された複数の突起を持つ櫛状板部材を含み、搬出手段が吸引把持している版材にその一部が付着した合紙を、当該櫛状板部材の各突起で挟持して剥離させる合紙剥離手段を備えている。
【００１５】
上記第１の発明によれば、版材をカセットから搬出する際に、版材にその一部が付着しているような合紙をよく剥離させることができる。
【００１６】
第２の発明は、第１の発明において、合紙剥離手段は、別の吸盤をさらに含み、搬出手段が吸引把持している版材にその全部が付着した合紙を、当該別の吸盤で吸引把持して剥離させることを特徴としている。
【００１７】
上記第２の発明によれば、版材をカセットから搬出する際に、版材にその全部が付着しているような合紙をよく剥離させることができる。
【００１８】
第３の発明は、第２の発明において、合紙剥離手段は、エアを噴出するエアノズルをさらに含み、剥離させてできた版材と合紙との間隙に向けて、エアノズルからのエアを噴射し、それによって、いったん剥離させた版材と合紙との再付着を防止することを特徴としている。
【００１９】
上記第３の発明によれば、いったん剥離させた版材と合紙との再付着を防止することができる。
【００２０】
第４の発明は、第３の発明において、カセットは、開放されたその上面を覆うための開閉可能なシャッタを含み、当該シャッタを、合紙剥離手段がエアを噴射するタイミングに関連して開閉させることを特徴としている。
【００２１】
上記第４の発明によれば、剥離された版材と合紙とがシャッタで隔離されるので、再付着が完全に防止される。また、剥離され、搬出されつつある版材の後端が次の版材の感光面上で引きずられ、それによって感光面に傷が付く不都合を防ぐことができる。
【００２２】
第５の発明は、第１の発明において、
搬出手段は、
吸盤がカセットに収納された版材または合紙を吸引把持した後、当該吸盤を、当該カセットの法線方向に沿って、開放されたその上面の上方の所定の位置まで移動させ、
当該所定の位置で当該吸盤の向きを変化させ、それによって、当該版材または当該合紙を湾曲変形させることを特徴としている。
【００２３】
上記第５の発明によれば、版材または合紙の裏面に付着した版材をよく剥離させることができる。なぜなら、版材または合紙が湾曲変形されるにつれて、その裏面に付着した版材も次第に湾曲変形するが、いずれは付着した版材の復元力が静電気の吸着力を上回り、付着した版材が元の形状に復元するからである。
【００２４】
第６の発明は、第１の発明において、カセットから搬出された被搬出物が版材か合紙かを、当該被搬出物の上面からの反射光に基づいて判別するための第１の光センサ、
被搬出物が版材か合紙かを、当該被搬出物の下面からの反射光に基づいて判別するための第２の光センサ、および
被搬出物が版材か合紙かを、当該被搬出物から金属素材を検出することによって判別するための金属センサをさらに備えている。
【００２５】
上記第６の発明によれば、搬出された版材の裏面に合紙が付着していることと、搬出された合紙の裏面に版材が付着していることと、搬出された合紙の裏面に版材が付着し、さらにその版材の裏面に次の合紙が付着していることとを検出できる。
【００２６】
第７の発明は、第１の発明において、
合紙を回収するためのトレイ、および
カセットから搬出された合紙をトレイ側へと搬送する合紙搬送手段をさらに備えている。
【００２７】
上記第７の発明によれば、合紙を回収して再利用するのが容易になる。
【００２８】
第８の発明は、第７の発明において、
カセットから搬出された被搬出物の端部に向けて所定のパワーでエアを噴射することによって、合紙だけを選択的に屈曲させるエア噴射手段をさらに備え、
合紙搬送手段は、屈曲された合紙の端部を把持するための把持部材を含んでいる。
【００２９】
上記第８の発明では、版材と合紙の堅さの相違を利用して、版材と合紙とで搬送経路が自ずから切り換わるようにしているので、装置の構成が単純で故障も少ない。
【００３０】
第９の発明は、第７の発明において、
カセットは、水平に置かれており、
トレイは、カセットの鉛直下方に設置されたことを特徴としている。
【００３１】
上記第９の発明によれば、装置の容積を小さくできる。
【００３２】
第１０の発明は、第１の発明において、カセットを、その重心を通り、かつ開放されたその上面の一辺に平行な直線を軸として回転可能に支持する架台をさらに備えている。
【００３３】
上記第１０の発明によれば、版材をカセットに収納する作業が楽になる。
【００３４】
第１１の発明は、第１の発明において、カセットの内底面には、当該内底面を保護する保護部材が設けられていることを特徴としている。
【００３５】
上記第１１の発明によれば、カセットの内底面に傷が付きにくくなる。従って、版材を梱包箱に包まれたままカセットに収納し、カセット内で刃物を用いて梱包箱を解体して版材を露出させるような収納作業を行える。これによって、多数の版材を一度にきちんと収納できるようになる。
【００３６】
第１２の発明は、第１１の発明において、
カセットから搬出された合紙を露光装置側とは別の側へと搬送する合紙搬送手段、
カセットから搬出された被搬出物が版材か合紙かを判別するための判別センサ、および
被搬出物の端部に向けて所定のパワーでエアを噴射することによって、合紙だけを選択的に屈曲させるエア噴射手段をさらに備え、
合紙搬送手段は、
屈曲された合紙の端部を把持するための把持部材、および
当該把持部材に付随して設けられ、屈曲された合紙の端部を検出するための検出センサを含んでいる。
【００３７】
上記第１２の発明では、カセット内で梱包箱を解体して版材を露出させるような収納作業を行った結果、梱包箱の断片（厚紙、段ボールなど）がカセット内に存在する可能性があるが、梱包箱の断片が搬送されつつあることを検知できる。なぜなら、判別センサが被搬送物を合紙と判断したにも関わらず、検出センサが合紙の端部を検出しない場合、その被搬送物は、梱包箱の断片であるとわかるからである。
【００３８】
【発明の実施の形態】
以下、本発明の実施の形態について、図面を参照しながら説明する。
図１は、本発明の一実施形態に係る版材供給装置が設けられる製版システムの構成を示す模式図である。図１において、製版システムは、露光装置１０１と、版材供給装置１０２とで構成される。版材供給装置１０２は、版材収納用のカセット１０３および合紙回収用のトレイ１０４が設けられた台車１０５と、カセット１０３に収納された版材を１枚ずつ露光装置１０１へと供給し、かつ版材と版材との間に挟み込まれている合紙をトレイ１０４へと搬送するピックアップ部１０６とを備えている。露光装置１０１は、供給された版材にレーザビームを照射して、版材の感光面上に画像を描く。製版システムは、こうして版材に描画処理を施すことにより、印刷用の刷版を制作する。
【００３９】
図２は、図１に示す版材供給装置１０２の、台車１０５の構成を示す模式図である。図２において、台車１０５には、台車本体に対し、その重心２０１を通り、かつその短辺に平行な直線を軸として、水平面に対し概ね０〜７０度の範囲で回転可能に支持されたカセット１０３と、台車本体を移動させるためのキャスタ２０２と、台車本体の高さ調節を行うためのアジャストボルト２０３とが設けられる。なお、図中、トレイ１０４は省略している。
【００４０】
カセット１０３は、そこに版材を収納する作業を行う際に、作業者によって約７０度に傾斜される。そして、収納作業が終了した後、水平に戻して固定される。これによって、版材をカセット１０３に収納する作業が楽になる。
ここで補足すれば、版材には一辺が１ｍを超えるものもあり、そのような版材を数十枚束ねた状態で持ち上げてカセット１０３に収納することを考えると、カセット１０３の重心２０１の高さを同一とすれば、カセット１０３が傾斜していた方が、カセット１０３が水平である場合より収納作業を容易に行える。なぜなら、カセット１０３が水平であれば、収納時、版材の束も水平に持ち上げなければならないが、カセット１０３が傾斜していれば、版材の束を、その一端を掴んで吊すようにして持ち上げることができるからである。
【００４１】
キャスタ２０２は、床面と接触する端部の位置を上下させる機能を有する。すなわち、台車１０５を移動させる場合には、キャスタ２０２の端部がアジャストボルト２０３の端部よりも下側に突出され、台車１０５を固定する場合には、キャスタ２０２の端部がアジャストボルト２０３の端部よりも上側に収められる。これによって、一度アジャストボルト２０３を調節して台車１０５の高さを決めてしまえば、その後は、台車１０５を移動させる度にアジャストボルト２０３を調節する必要がなくなる。
【００４２】
図３は、図１に示す版材供給装置１０２に設けられたカセット１０３の上面図である。その上面が開放されたカセット１０３の内底面には、カセット本体に傷がつくことを防ぐための保護用シート３０１が設けられている。従って、作業者は、版材をカセット１０３に収納する作業を、次のようにして行うことになる。すなわち、最初、カセット１０３を傾斜させ、次に、版材を梱包箱に包まれたままの状態で、カセット１０３の内底面上に載置する。そして、カセット１０３を水平にし、その位置で固定する。その後、保護用シート３０１上で、梱包箱を刃物を用いて切断、解体し、版材を露出させる。
なお、図３には示していないが、カセット１０３の一方の端部には、２枚取り防止用の板バネが設けられている。また、カセット１０３の上面には、開閉可能なシャッタが設けられており、作業者は、版材を露出させた後、シャッタを閉じる（これら板バネおよびシャッタについては、後述する）。
【００４３】
このように、版材をカセット１０３に収納する際、版材を梱包箱に包まれたままカセット１０３の内底面上に載置して、そこで版材を取り出すようにしたことによって、版材の収納を梱包箱単位で行えるようになり、版材の位置ずれがなくなるのに加え、収納作業が楽になる。
これに対し、版材を梱包箱から取り出した状態で収納する場合には、上記のように版材の束をその一端を掴んで吊すようにして持ち上げると、束の中程にある一部の版材がしばしば滑り落ちるので、梱包箱内の全ての版材をいっぺんにカセット１０３内に収納するのは容易でない。
【００４４】
なお、上記のように、カセット１０３の内底面上で梱包箱を切断して版材を露出させるようにした場合、梱包箱の断片（厚紙、段ボールなど）が除去されずにカセット１０３内に残り、露光装置１０１へと搬送される可能性を否定できない。そこで、図１の版材供給装置１０２では、合紙だけでなく、梱包箱の断片についても、露光装置１０１へと誤って供給されることを防ぐようにしている（詳細は後述する）。
【００４５】
図４は、図１に示す版材供給装置１０２に設けられたピックアップ部１０６の構成を示す模式図（側面図）である。図４において、ピックアップ部１０６は、版材／合紙把持部４０１と、合紙剥離部４０２と、分離・再付着防止用エアノズル４０３と、駆動ローラ４０４と、ニップローラ４０５と、版材搬送ローラ４０６と、合紙屈曲用エアノズル４０７と、合紙銜え金具４０８と、２つの版材・合紙判別センサ４０９および４１０と、アルミセンサ４１１と、合紙検出センサ４１２とを備えている。
なお、図４には、カセット１０３およびトレイ１０４も表示している。また、版材／合紙把持部４０１および合紙剥離部４０２の位置を示すための座標系が表示されている。図中矢印Ｙで示される方向（鉛直方向）の位置は、Ｖ１，Ｖ２，Ｖ３，Ｖ４で表し、矢印Ｘで示される方向（Ｙと直角な方向）の位置は、Ｈ１，Ｈ２，Ｈ３で表す。
【００４６】
版材／合紙把持部４０１は、図示しない真空ポンプによって吸引作動する吸盤４１３を含む。供給動作開始時、（Ｈ１，Ｖ１）で示される位置にある版材／合紙把持部４０１は、位置（Ｈ１，Ｖ４）まで降下して、版材または合紙を吸引把持する。そして、版材または合紙を把持した状態で、いったん位置（Ｈ１，Ｖ１）まで上昇する。そして、その位置で、最初、鉛直下方を向いた吸盤４１３は、その吸着面がほぼ垂直となるように９０度程度回転し（以下、この回転動作をひねり動作とよぶ）、次に、再び吸盤４１３が鉛直下方を向くように反転する。このひねり動作によって、把持された版材または合紙は、一端が持ち上げられて湾曲する。その結果、仮に把持された合紙の裏面に版材が付着していたり、把持された版材の裏面に次の版材が付着（いわゆる版材の２枚取り）していても、付着している版材が、自らの復元力によって剥離される。その後、版材／合紙把持部４０１は、位置（Ｈ１，Ｖ２）まで下降し（ここで合紙を剥離させる処理が行われる）、さらに、位置（Ｈ３，Ｖ２）へと水平移動して、そこで吸引を解除する。
【００４７】
合紙剥離部４０２は、櫛形状に形成された剥離用板バネ４１４と、図示しない真空ポンプによって駆動される剥離用吸盤４１５を含む。供給動作開始時、（Ｈ２，Ｖ３）で示される位置にある合紙剥離部４０２は、位置（Ｈ１，Ｖ３）まで前進して、位置（Ｈ１，Ｖ２）にある版材／合紙把持部４０１によって把持された版材に付着している合紙を版材から剥離させる。この合紙剥離部４０２の剥離動作については、後述する。
【００４８】
分離・再付着防止用エアノズル４０３は、図示しないブロアポンプによって駆動され、合紙剥離部４０２が剥離させてできた版材と合紙との間隙に向けてエアを噴射することによって、剥離を助長すると共に、いったん剥離された合紙が再び版材に付着するのを防ぐ。供給動作開始時、図中実線で示される位置にあるニップローラ４０５は、版材／合紙把持部４０１が位置（Ｈ３，Ｖ２）へと移動してきた直後、図中点線で示される位置まで移動する。そして、図中矢印で示される向きに回転する駆動ローラ４０４と共働して、版材／合紙把持部４０１によって把持された版材または合紙をニップして、Ｘ方向に送出する。
【００４９】
合紙屈曲用エアノズル４０７は、図示しないブロアポンプによって駆動され、ニップローラ４０５および駆動ローラ４０４から送出されてくる合紙の先端に向けてエアを噴射する。それによって、合紙の先端部分を合紙銜え金具４０８側に折り曲げる。搬送動作開始時、図中実線で示す位置にある合紙銜え金具４０８は、折り曲げられた合紙の先端部分を銜えると、図示しないモータで駆動されて図中点線で示す位置まで移動する。そして、その位置で、銜えている合紙を解放する。その結果、合紙は、トレイ１０４内に正しく収納される。
版材搬送ローラ４０６は、ニップローラ４０５および駆動ローラ４０４から送出されてくる版材をニップして、その前方にある露光装置１０１側へと送出する。
【００５０】
版材・合紙判別センサ４０９は、カセット１０３の上方に設けられ、対象物からの反射光の強度の違いまたは波長の差異に基づいて、版材と合紙とを判別する機能を有する光センサである。アルミセンサ４１１は、版材／合紙把持部４０１に付随して設けられ、版材／合紙把持部４０１の把持対象が金属を含むことを検知するための金属センサである。版材・合紙判別センサ４１０は、カセット１０３から駆動ローラ４０４までの搬送経路の下方に設けられ、対象物からの反射光の強度の違いまたは波長の差異に基づいて、版材と合紙とを判別する機能を有する光センサである。合紙検出センサ４１２は、合紙銜え金具４０８に付随して設けられ、合紙の端部が（合紙屈曲用エアノズル４０７からのエアによって折り曲げられて）銜え位置に達したことを検出するための光センサである。
【００５１】
ここで、上記各センサに関連して補足すれば、従来の版材供給装置（例えば、前述の特公昭６１−４１８１０号公報のもの）では、版材をカセットから取り出す際に、把持された版材に付着した合紙をあまりよく剥離させることができないにもかかわらず、合紙がうまく剥離されなかった場合の対策が講じられておらず、合紙が付着したまま版材が露光装置へと供給されることがしばしばあった。
【００５２】
一方、図１に示す版材供給装置１０２では、版材をカセット１０３から取り出す際に、把持された版材に付着した合紙をよく剥離させることができるのに加え、万一、合紙がうまく剥離されなかった場合には、上記各センサの働きによって、剥離の失敗を検知することができる（後述）ので、合紙が付着したまま版材が露光装置１０１へと供給されることはほとんどない。
【００５３】
なお、図１に示す版材供給装置１０２では、カセット１０３に、版材および合紙に加えて、梱包箱の断片等（以下、これらを厚紙と称する）が収納されている可能性があることは先に述べた。上記各センサは、厚紙が版材と誤認されて露光装置１０１へと供給されるのを防ぐ役割も果たしている（詳細は後述する）。
【００５４】
上記のように構成された版材供給装置１０２について、以下、その動作を説明する。
最初、カセット１０３から版材を取り出して露光装置１０１へと供給する基本的な動作を説明する。
図１〜図３において、作業者は、予め、台車１０５のアジャストボルト２０３およびキャスタ２０２を用いて、版材供給装置１０２を、露光装置１０１に対して正しい位置および高さに調節する作業を行う。次に、作業者は、版材を版材供給装置１０２に収納するために、カセット１０３を７０度に傾斜させる。そして、版材の束を梱包箱に包まれたまま、その一端を掴んで吊すようにして持ち上げてカセット１０３内に収納し、その後、カセット１０３を水平にして固定する。さらに、作業者は、カセット１０３の内底面に設けられた保護用シート３０１上で、梱包箱を刃物を用いて切断、解体し、版材を露出させる。そして、梱包箱の断片（厚紙）を取り除き、図示しないシャッタを閉じる。以上で、版材供給装置１０２を動作させる前の準備作業が完了する。
【００５５】
図５は、図１の版材供給装置１０２が露光装置１０１へと版材を供給する動作を説明するための模式図（側面図）である。なお、図５には、ピックアップ部１０６の各構成要素、水平に固定されたカセット１０３、およびトレイ１０４が表示されている。
図５において（なお、版材／合紙把持部４０１および合紙剥離部４０２の位置については、図４の座標系を援用する）、カセット１０３には、その開放された上面に開閉可能なシャッタ５０１が設けられ、カセット１０３の一方の端部に板バネ５０２が設けられている。そして、その内部に、複数の版材および複数の合紙が交互に重ねて収納されている。
【００５６】
なお、作業者が版材を収納する際、厚紙を除去し忘れることも考えられるので、ここでは、カセット１０３に、さらに厚紙をも収納されているとする。また、合紙が欠落して、版材と版材とが連続している場合もある。この場合、版材の２枚取りが発生しやすい。
【００５７】
トレイ１０４は、カセット１０３の下方に設置され、より好ましくは、カセット１０３の直下に設置される。それによって、図１の版材供給装置１０２の容積を小さくできるからである。
【００５８】
作業者によって版材供給装置１０２が起動されると、最初、カセット１０３のシャッタ５０１が開かれ、同時に、（Ｈ１，Ｖ１）で示される位置にある版材／合紙把持部４０１が、降下動作を開始する。そして、位置（Ｈ１，Ｖ４）まで降下して、最上位にある版材または合紙を吸引把持する。その後、版材／合紙把持部４０１は、版材または合紙を把持した状態で、いったん位置（Ｈ１，Ｖ１）まで上昇する。
【００５９】
このとき、上昇される版材の端部が板バネ５０２によって擦られるので、把持された合紙の裏面に版材が付着（これは、静電気の作用だけでなく、吸盤４１３の吸引作用が合紙を透過して版材にまで及ぶことによって起こる）していたり、把持された版材の裏面に次の版材が付着していた場合、付着している版材は、板バネ５０２との摩擦力によって剥離される（ただし、静電気による吸着力が強い場合には、剥離されないこともある）。
【００６０】
位置（Ｈ１，Ｖ１）まで上昇した版材／合紙把持部４０１は、その位置で、ひねり動作を行う。
図６は、図４の版材／合紙把持部４０１が行うひねり動作を視覚的に示す図である。図６において、版材／合紙把持部４０１は、最初、鉛直下方（Ｙ方向）を向いた吸盤４１３がほぼ水平方向（Ｘ方向）を向くように回転する。このひねり動作によって、把持された版材または合紙は、その一端が持ち上げられて湾曲する。結果、板バネ５０２との摩擦では剥離されなかったような、把持された合紙の裏面に強固に付着していた版材、または把持された版材の裏面に強固に付着していた次の版材も、自らの復元力によって、ほぼ確実に剥離される。その後、吸盤４１３は、鉛直下方を向くように反転する。
【００６１】
このように、図１の版材供給装置１０２では、カセット１０３の端部に設けられた板バネ５０２による剥離効果、および版材／合紙把持部４０１が行うひねり動作による剥離効果によって、版材の２枚取りと、その裏面に版材が付着したまま合紙を搬送することとを効果的に防ぐことができる。なお、合紙は、柔らかく、かつ復元力も小さいので、カセット１０３の端部に設けられた板バネ５０２、および版材／合紙把持部４０１が行うひねり動作は、いずれも、版材に付着した合紙に対しては、あまり剥離効果を発揮しない。
【００６２】
再び図５において、位置（Ｈ１，Ｖ１）にある版材／合紙把持部４０１は、次に、位置（Ｈ１，Ｖ２）まで降下する。この直後、位置（Ｈ２，Ｖ３）で待機していた合紙剥離部４０２が、位置（Ｈ１，Ｖ３）まで前進する。そして、分離・再付着防止用エアノズル４０３およびカセット１０３のシャッタ５０１と共働して、合紙を剥離させる処理を行う。この合紙剥離処理は、２つの工程を含む。
【００６３】
その第１は、版材にその一部が付着した合紙を、剥離用板バネ４１４を用いて挟持した後、版材と合紙との間隙にエアを噴射して、合紙を完全に剥離させ、さらにシャッタ５０１を閉じて再付着を防止する工程である。その第２は、版材にその全面が密着した合紙を、剥離用吸盤４１５を用いて吸引把持してその一部を剥離させた後、版材と合紙との間隙にエアを噴射して、合紙を完全に剥離させ、さらにシャッタ５０１を閉じて再付着を防止する工程である。図１の版材供給装置１０２では、これら第１の剥離工程および第２の剥離工程が、この順序で実行される。
【００６４】
図７は、図４の合紙剥離部４０２に設けられた剥離用板バネ４１４の形状、および剥離用吸盤４１５の配置を示す図である。図７に示すように、剥離用板バネ４１４は、櫛形状に形成されている。また、剥離用吸盤４１５は、剥離用板バネ４１４の付け根側に、等間隔に配置されている。
【００６５】
図８は、図４の合紙剥離部４０２が剥離用板バネ４１４を用いて、分離・再付着防止用エアノズル４０３およびカセット１０３のシャッタ５０１と共働しつつ、版材の裏面に一部付着した合紙を剥離させる工程を説明するための図である。図８において、合紙８０１は、版材／合紙把持部４０１によって吸引把持される端部側が版材８０２から剥離しており、それとは反対の端部側が版材８０２に付着している（図８（ａ））。合紙剥離部４０２は、この合紙８０１に向かって前進し、その結果、合紙剥離部４０２の先端に設けられた剥離用板バネ４１４の各突起の隙間に、合紙８０１の剥離している方の端部が挟まれる（図７参照）。こうして合紙剥離部４０２が剥離用板バネ４１４で合紙８０１を挟持した状態において、分離・再付着防止用エアノズル４０３が版材８０２と合紙８０１との間隙に向けてエアを噴射する（図８（ｂ））。これにより、版材８０２に一部付着していた合紙８０１は、版材８０２から完全に剥離される。
【００６６】
次に、合紙剥離部４０２が、元の位置まで後退する。その直後、カセット１０３のシャッタ５０１が閉じられ、同時に、分離・再付着防止用エアノズル４０３が噴射動作を停止する。これにより、いったん剥離された合紙８０１が版材８０２に再付着することがなくなり、版材８０２と合紙８０１とが完全に分離される。
【００６７】
図９は、図４の合紙剥離部４０２が剥離用吸盤４１５を用いて、分離・再付着防止用エアノズル４０３およびカセット１０３のシャッタ５０１と共働しつつ、版材の裏面に全部付着した合紙９０１を剥離させる工程を説明するための図である。図９（ａ）において、合紙９０１は、その全部が版材９０２に付着している。合紙剥離部４０２は、この合紙９０１に向かって前進する。なお、この場合、合紙剥離部４０２の先端に設けられた剥離用板バネ４１４の各突起の隙間には、合紙９０１の端部は挟まれない。そして、合紙剥離部４０２の後端付近に設けられた剥離用吸盤４１５が吸引動作を開始する（図９（ｂ））。こうして合紙剥離部４０２が剥離用吸盤４１５で合紙９０１を吸引保持した直後、版材／合紙把持部４０１が、版材９０２を把持した状態で、上昇動作を開始する。これにより、合紙９０１は、その一部が剥離される。
【００６８】
そして、版材／合紙把持部４０１が、位置（Ｈ１，Ｖ１）まで上昇したとき（図５参照）、分離・再付着防止用エアノズル４０３は、版材９０２と合紙９０１との間隙に向けて、エアを噴射する。これにより、合紙９０１は、版材９０２から完全に剥離される（図９（ｃ））。
次に、合紙剥離部４０２が、元の位置まで後退し、版材／合紙把持部４０１は、位置（Ｈ１，Ｖ２）まで降下する（図５参照）。その直後、カセット１０３のシャッタ５０１が閉じられ、同時に、分離・再付着防止用エアノズル４０３が噴射動作を停止する。これにより、いったん剥離された合紙９０１が版材９０２に再付着することがなくなり、版材９０２と合紙９０１とが完全に分離される（図９（ｄ））。
【００６９】
このように、図１の版材供給装置１０２では、版材にその一部が付着した合紙については、剥離用板バネ４１４でその端部を挟んで把持しつつ、版材と合紙との間隙にエアーを噴射してそれらを完全に剥離させる。一方、版材にその全面が密着した合紙については、剥離用吸盤４１５で合紙を吸引把持してその一部を剥離させた後、版材と合紙との間隙にエアーを噴射してそれらを完全に剥離させる。これにより、版材に付着した合紙は、その付着の仕方に関わらず（全部付着、一部付着に拘りなく）、ほぼ確実に版材から剥離される。
【００７０】
そして、剥離された合紙に向けてエアを噴射し続けて（再付着を防ぎつつ）、合紙をカセット１０３内に落下させ、その後、カセット１０３のシャッタ５０１を閉じるので、版材と合紙とがシャッタ５０１で隔離され、その結果、剥離された合紙が静電気の作用で再び版材に付着するのを完全に防ぐことができる。
【００７１】
なお、シャッタ５０１を閉じる理由は、単に版材と合紙との分離を助長するためだけでなく、例えば、版材／合紙把持部４０１によって把持されて持ち上げられつつある版材の後端が、次の版材の感光面上で引きずられ、感光面に傷が付く（これは、版材と次の版材との間に合紙が挿入されていなかったり、版材から剥離された合紙が次の版材の上に正しく落下しなかった場合に起こり得る）ことを防ぐためでもある。
【００７２】
再び図５において、合紙剥離部４０２の剥離処理を援助するために上記のようにして位置（Ｈ１，Ｖ２）から位置（Ｈ１，Ｖ１）へと上昇し、再び位置（Ｈ１，Ｖ２）へと下降した版材／合紙把持部４０１は、次いで、位置（Ｈ３，Ｖ２）へと移動する。その後、ニップローラ４０５が、図中点線で示される位置まで移動する。そして、図中矢印で示される向きに回転する駆動ローラ４０４と共働して、版材／合紙把持部４０１によって把持された版材または合紙をニップし、Ｘ方向に送出する。
【００７３】
送出された版材または合紙の進む先には、版材搬送ローラ４０６が待ち受けている。送出された版材または合紙の進路の上方には、合紙屈曲用エアノズル４０７が設けられ、そこからは、概ね鉛直下方に向けて、エアが噴射されている。噴射されたエアが進む先には、合紙銜え金具４０８が、開口状態で待機している。
【００７４】
ニップローラ４０５および駆動ローラ４０４から送出されたものが合紙である場合、合紙屈曲用エアノズル４０７からのエアによって、その先端部分が下方に折れ曲がる。合紙検出センサ４１２は、合紙銜え金具４０８の開口付近を監視しており、そこに合紙の先端が到達したことを検出する。応じて、合紙銜え金具４０８は、合紙の先端を銜え、その状態で図中点線で示される位置まで移動して、そこで合紙を解放する。これにより、合紙は、トレイ１０４内の所定の位置に正しく納まる。
【００７５】
一方、ニップローラ４０５および駆動ローラ４０４から送出されたものが版材である場合、合紙屈曲用エアノズル４０７からのエアを受けても、版材は堅いので、その先端部分が下方に折れ曲がることはない。従って、送出された版材は、版材搬送ローラ４０６に噛み込まれる。そして、そこから露光装置１０１側へと送出される。
【００７６】
このように、図１の版材供給装置１０２では、合紙を合紙銜え金具４０８で銜えて予め決められた位置まで搬送するようにしているので、合紙は、皺や弛みが生じることなく、トレイ１０４内に正しく収納される。従って、限られた大きさのトレイ１０４に多数の合紙を収納でき、加えて、それらの合紙の再利用も容易となる。
【００７７】
また、図１の版材供給装置１０２では、版材と合紙の堅さの相違を利用して、版材と合紙とで搬送経路が自ずから切り換わるようにしているので、装置の構成が単純で故障も少ない。
【００７８】
ところで、上記のように、図１の版材供給装置１０２では、版材または合紙をカセット１０３から取り出す際に、把持された版材に付着した合紙または版材、あるいは把持された合紙に付着した版材をよく剥離させることができる。しかし、必ず剥離させることができるとまではいえない。また、カセット１０３には、版材および合紙に加えて、厚紙が収納されている可能性もある。
そこで、次に、被搬送物の付着物や厚紙を検出して、版材以外のものが露光装置１０１へと供給されることを防ぐための処理を説明する。
【００７９】
図１の版材供給装置１０２では、カセット１０３の上方に設けられ、検知対象からの反射光の強度ないしは波長に基づいて検知対象が版材か合紙かを判別する版材・合紙判別センサ４０９によって、版材／合紙把持部４０１によって吸引把持されたものが版材か合紙かがわかる。しかし、版材・合紙判別センサ４０９だけでは、把持された版材または合紙の裏面に付着物があるか否かがわからない。
【００８０】
そこで、カセット１０３から駆動ローラ４０４までの搬送経路の下方にも、版材・合紙判別センサ４１０が設けられている。版材・合紙判別センサ４０９および版材・合紙判別センサ４１０の判定結果が互いに相違する場合、把持された版材または合紙の裏面に付着物があることがわかる。しかし、版材・合紙判別センサ４０９および版材・合紙判別センサ４１０だけでは、把持された合紙の裏面に版材が付着し、さらにその版材の裏面に次の合紙が付着しているような場合、付着物なしと結論される。
【００８１】
そこで、さらに、版材／合紙把持部４０１に付随して、アルミセンサ４１１が設けられる。アルミセンサ４１１は、検知対象に金属が含まれていることを検出するための金属センサであって、版材／合紙把持部４０１によって把持された合紙と次の合紙との間に挟まれていて見えない（つまり、光センサでは検知できない）版材を検出することができる。従って、版材・合紙判別センサ４０９および版材・合紙判別センサ４１０の検知結果が共に合紙であって、かつアルミセンサ４１１が版材を検知した場合、把持された合紙の裏面に版材が付着しており、さらにその版材の裏面に次の合紙が付着していることがわかる。
【００８２】
一方、版材／合紙把持部４０１によって吸引把持されたものが厚紙である場合、版材・合紙判別センサ４０９および版材・合紙判別センサ４１０の検知結果は、合紙を示す。なぜなら、合紙と厚紙とは表面の色や反射率が互いに近接しているからである。しかし、それが厚紙であることは、次のようにしてわかる。すなわち、合紙の場合、版材・合紙判別センサ４０９（および版材・合紙判別センサ４１０）が合紙と判定してから所定時間の後、合紙検出センサ４１２によって、合紙が検出される。しかし、厚紙の場合、合紙よりも堅いので、合紙屈曲用エアノズル４０７からのエアを受けても、その先端部分が下方に折れ曲がることはない。従って、所定時間経過しても、合紙検出センサ４１２は、合紙を検出しない。
なお、版材・合紙判別センサ４０９、版材・合紙判別センサ４１０およびアルミセンサ４１１のいずれか１つと、合紙検出センサ４１２とがあれば、上記のような厚紙の検出処理を行えるのはいうまでもない。
【００８３】
上記のようにして、把持された版材または合紙の裏面に付着物があることを検知したり、厚紙が露光装置１０１へと供給されようとしていることを検知した場合、図１の版材供給装置１０２は、供給動作を速やかに停止する。そして、例えば図示しないブザーを鳴らして、そのことを作業者に知らせる。応じて、作業者は、図１の版材供給装置１０２から、付着物や厚紙を取り除く。
【図面の簡単な説明】
【図１】本発明の一実施形態に係る版材供給装置が設けられる製版システムの構成を示す模式図である。
【図２】図１に示す版材供給装置１０２の、台車１０５の構成を示す模式図である。
【図３】図１に示す版材供給装置１０２に設けられたカセット１０３の上面図（すなわち内底面）である。
【図４】図１に示す版材供給装置１０２に設けられたピックアップ部１０６の構成を示す模式図（側面図）である。
【図５】図１の版材供給装置１０２が露光装置１０１へと版材を供給する動作を説明するための模式図（側面図）である。
【図６】図４の版材／合紙把持部４０１が行うひねり動作を視覚的に示す図である。
【図７】図４の合紙剥離部４０２に設けられた剥離用板バネ４１４の形状、および剥離用吸盤４１５の配置を示す図である。
【図８】図８は、図４の合紙剥離部４０２が剥離用板バネ４１４を用いて、分離・再付着防止用エアノズル４０３およびカセット１０３のシャッタ５０１と共働しつつ、版材の裏面にその一部が付着した合紙を剥離させる工程を説明するための図である。
【図９】図４の合紙剥離部４０２が剥離用吸盤４１５を用いて、分離・再付着防止用エアノズル４０３およびカセット１０３のシャッタ５０１と共働しつつ、版材の裏面にその全部が付着した合紙を剥離させる工程を説明するための図である。
【図１０】版材に付着した合紙をエアで吹き飛ばす機能を有する従来の版材供給装置の要部を示す図（側面図）である。
【図１１】版材に付着した合紙をローラで掻き落とす機能を有する別の従来の版材供給装置の要部を示す図（側面図）である。
【図１２】カセットが水平に設けられたような、さらに別の従来の版材供給装置の要部を示す図（側面図）である。
【符号の説明】
１０１  露光装置
１０２  版材供給装置
１０３  カセット
１０４  トレイ
１０５  台車
１０６  ピックアップ部
２０１  （カセットの）重心
２０２  キャスタ
２０３  アジャストボルト
３０１  保護用シート
４０１  版材／合紙把持部
４０２  合紙剥離部
４０３  分離・再付着防止用エアノズル
４０４  駆動ローラ
４０５  ニップローラ
４０６  版材搬送ローラ
４０７  合紙屈曲用エアノズル
４０８  合紙銜え金具
４０９，４１０  版材・合紙判別センサ
４１１  アルミセンサ
４１２  合紙検出センサ
４１３  吸盤
４１４  剥離用板バネ
４１５  剥離用吸盤
５０１  シャッタ
５０２  板バネ
【図１】
0003807578.tif 000002
【図２】
0003807578.tif 000003
【図３】
0003807578.tif 000004
【図４】
0003807578.tif 000005
【図５】
0003807578.tif 000006
【図６】
0003807578.tif 000007
【図７】
0003807578.tif 000008
【図８】
0003807578.tif 000009
【図９】
0003807578.tif 000010
【図１０】
0003807578.tif 000011
【図１１】
0003807578.tif 000012
【図１２】
0003807578.tif 000013